(57)【要約】【課題】簡単な構成で解錠番号の設定を機械的に行うことができ、部品点数が少なくメンテナンスも容易なプッシュ錠を提供する。【解決手段】複数のプッシュボタン１８が突没自在に出入りする前面板部１２を有する。前面板部１２の内側の面に当接配置された摺動板部８２と、摺動板部８２の側端面から側方に延設された複数のスライド凸部５０と、摺動板部８２に設けられた板状部分であって、前面板部１２と対向する面に形成された前カム溝８８ａを備える。反対側には、後カム溝８８ｂが形成されたカム板部８８を備える。回転ツマミ２４の回転動作と、スライダ４０のスライドを相互に連動させるツマミジョイナ４２を備える。スライダ４０のスライド動作と、デッドボルト２６の回転動作を相互に連動させるデッドボルトジョイナ４４を備える。プッシュボタン１８の円柱部の側面に、軸方向に所定の間隔を開けて、一対のスライド制御溝４８ａ，４８ｂを備える。【選択図】図４
2011047212.tif 000002
【特許請求の範囲】
【請求項１】
物品を収容する収容空間の開口部を開閉する扉に取り付けられ、前記扉の前面側に位置し突出状態に配置された複数のボタン部分のうち、特定のボタン部分を押込状態にすることによって解錠するプッシュボタン錠において、
使用者が操作する回転ツマミと、
前記扉を閉じたとき、前記収容空間の開口部の縁部に設けられた係合部材に係合して閉扉状態を保持するデッドボルトと、
円柱部と、前記円柱部の一端に延設された前記ボタン部分である前頭部と、前記円柱部の他端に延設された後頭部とを有するプッシュボタンと、
前記プッシュボタンの前記円柱部が突没自在に出入りする複数のボタン孔が形成された前面板部と、
前記前面板部に対面した後面板部と、前記複数のプッシュボタンを支持するボタン支持部とが設けられた裏板と、
前記筺体と前記裏板の内側空間に配置され、前記前面板部の内側の面に当接配置された摺動板部と、前記摺動板部の側端面から側方に延設された複数のスライド凸部と、前記摺動板部に設けられた板状部分であって、前記前面板部と対向する面に前カム溝が形成されているとともに、前記後面板部と対向する面に後カム溝が形成されたカム板部とが設けられ、前記ボタン孔の整列方向にスライド可能に保持されたスライダと、
前記前面板部に開口された軸孔部分に配置され、前記スライダの前記前カム溝及び前記回転ツマミに係合し、前記回転ツマミの回転動作と前記スライダのスライド動作を相互に連動させるツマミジョイナと、
前記裏板の後面板部に開口された軸孔部分に配置され、前記前記スライダの前記後カム溝及び前記デッドボルトに係合し、前記スライダのスライド動作と前記デッドボルトの回転動作を相互に連動させるデッドボルトジョイナとを備え、
前記プッシュボタンの前記円柱部の側面であって中心軸を挟んで対向する位置に、軸方向に所定の間隔を開けて、一対のスライド制御溝が設けられ、
前記スライド制御溝は、前記スライド凸部が当該スライド制御溝の内側を通過可能な溝形状を有し
前記複数のプッシュボタンが突出及び押し込み方向に移動し、前記スライド制御溝が前記複数のスライド凸部に対向する位置にあるとき、前記回転ツマミを正方向に回すと、前記スライド凸部が前記スライド制御溝の内側を通過して前記スライダが正方向にスライド移動し、同時に、当該スライド移動に連動して前記デッドボルトが回転し、前記係合部材との係合が解かれることによって解錠され、
前記スライド制御溝の位置が前記複数のスライド凸部に対向する位置以外の位置にあるとき、前記プッシュボタンと前記スライド凸部との干渉によって、前記回転ツマミの正方向の回転及び前記スライダの正方向のスライド移動が制限され、前記デッドボルトと前記係合部材とが係合する施錠状態が保持されることを特徴とするプッシュ錠。
【請求項２】
前記スライダの前記摺動板部に、前記複数のプッシュボタンの前記後頭部の先端角部に当接する傾斜面が形成された複数のボタン押戻部が設けられ、
前記回転ツマミを逆回転することによって前記スライダが負方向にスライド移動し、前記複数のプッシュボタンを一律に突出状態にする請求項１記載のプッシュ錠。
【請求項３】
前記スライダの前記摺動板部に、前記複数のプッシュボタンの前記後頭部の先端角部に当接する傾斜面が形成された複数のボタン押戻部が設けられ、
前記デッドボルトが回転することによって前記スライダが負方向にスライド移動し、前記スライダ複数のプッシュボタンを一律に突出状態にする請求項１又は２記載のプッシュ錠。
【請求項４】
前記裏板のボタン支持部は、前記後面板部から内側に向けて立設された可撓性を有する係合板部と、前記係合板部の側面に形成された係合凸部とで構成され、
前記プッシュボタンの側面には、前記係合凸部を係合可能な突没位置決め溝が形成され、
前記プッシュボタンは、撓みの復帰力を有する前記係合板部と前記前面板部の前記ボタン孔の内壁との間で挟持され、前記突没位置決め溝又は前記スライド制御溝に係合した前記係合凸部によって突出状態及び押込状態の位置決めがなされる請求項１乃至３のいずれか記載のプッシュ錠。
【請求項５】
前記前面板部は、その周縁部の背面側に立設された側壁部を有し、前記ボタン孔が前記前面板部内に一方向に整列して配置された中空の筺体に設けられ、
前記筺体は、前記前面板部と側壁部が連続する内側角部に、前記ボタン孔の周縁部から背面側に回転止ガイドが立設され、
前記プッシュボタンは、後頭部の側面に回転止突起が形成され、
前記プッシュボタンが突出状態のとき、前記プッシュボタンは、前記回転止ガイドが前記回転止突起と係合することによって自身の回転が制限されて保持され、前記プッシュボタンが押込状態のとき、自身が回転自在に保持される請求項１乃至４のいずれか記載のプッシュ錠。
【請求項６】
前記複数のプッシュボタン及びボタン孔は、複数列に整列して配置された請求項１乃至５のいずれか記載のプッシュ錠。
【発明の詳細な説明】
【技術分野】
【０００１】
この発明は、郵便物の受け箱や荷物収納用のロッカー等の扉に取り付けられるプッシュ錠であって、特に解錠時に押圧するボタン番号の設定及び変更を機械的に行うプッシュ錠に関する。
【背景技術】
【０００２】
従来、この種のプッシュ錠として、例えば、特許文献１に開示されているように、突没自在に取り付けられた複数のプッシュボタン（キー駒）と、プッシュボタンに嵌装された鍵型カム片と、プッシュボタンを突出させるためのリセットプレートと、鍵型プレートとの位置関係によって施錠又は解錠の状態を決定する開閉プレートと、鍵型カム片との位置関係によって解錠又は施錠の状態を規定するセットプレート、及び上記各部材を動作可能に支持する筺体（キーケーシング）等で構成されたキー装置がある。このキー装置は、各プッシュボタンやセットプレート等を所定の手順で移動させることよって、個々の鍵型カム片とセットプレートとの位置関係を自在に変更し、解錠可能とするプッシュボタンを選択的に設定することができる。従って、郵便受け箱等の管理者は、個々のプッシュボタンにボタン番号を付番しておけば、解錠可能とするボタン番号（以下、解錠番号と称す）を自ら設定し、且つ自由に変更することができる。
【先行技術文献】
【特許文献】
【０００３】
【特許文献１】特開２００３−３２８６１３号公報
【発明の概要】
【発明が解決しようとする課題】
【０００４】
しかし、特許文献１のキー装置は、部品点数が多く、構造も複雑で組み立て工数もかかるため、部材費や組立費が比較的高価となるものであった。また、多くの部品が複雑に摺動又は嵌合する構造のため、メンテナンスを頻繁に行う必要があった。
【０００５】
この発明は、上記背景技術に鑑みて成されたもので、簡単な構成で解錠番号の設定を機械的に行うことができ、部品点数が少なくメンテナンスも容易なプッシュ錠を提供することを目的とする。
【課題を解決するための手段】
【０００６】
この発明は、荷物や郵便物等の物品を収容する収容空間の開口部を開閉する扉に取り付けられ、前記扉の前面側に位置し突出状態に配置された複数のボタン部分のうち、特定のボタン部分を押込状態にすることによって解錠するプッシュボタン錠であって、使用者が操作する回転ツマミと、前記扉を閉じたとき前記収容空間の開口部の縁部に設けられた係合部材に係合して閉扉状態を保持するデッドボルトと、円柱部と前記円柱部の一端に延設された前記ボタン部分である前頭部と前記円柱部の他の一端に延設された後頭部とを有するプッシュボタンと、前記プッシュボタンの前記円柱部が突没自在に出入りする複数のボタン孔が形成された前面板部と、前記前面板部に対面した後面板部と前記複数のプッシュボタンを支持する係合板部等のボタン支持部とが設けられた裏板と、前記筺体と前記裏板の内側空間に配置され、前記前面板部の内側の面に当接配置された摺動板部と、前記摺動板部の側端面から側方に延設された複数のスライド凸部と、前記摺動板部に設けられた板状部分であって、前記前面板部と対向する面に前カム溝が形成されているとともに前記後面板部と対向する面に後カム溝が形成されたカム板部とが設けられ、前記ボタン孔の整列方向にスライド可能に保持されたスライダと、前記筺体の前面板部に開口された軸孔部分に配置され、前記スライダの前記前カム溝及び前記回転ツマミに係合し、前記回転ツマミの回転動作と前記スライダのスライド動作を相互に連動させるツマミジョイナと、前記裏板の後面板部に開口された軸孔部分に配置され、前記前記スライダの前記後カム溝及び前記デッドボルトに係合し、前記スライダのスライド動作と前記デッドボルトの回転動作を相互に連動させるデッドボルトジョイナとを備え、前記プッシュボタンの前記円柱部の側面であって中心軸を挟んで対向する位置に、軸方向に所定の間隔を開けて、一対のスライド制御溝が設けられ、前記スライド制御溝は、前記スライド凸部が当該スライド制御溝の内側を通過可能な溝形状を有し前記複数のプッシュボタンが突出及び押し込み方向に移動し、前記スライド制御溝が前記複数のスライド凸部に対向する位置にあるとき、前記回転ツマミを正方向に回すと、前記スライド凸部が前記スライド制御溝の内側を通過して前記スライダが正方向にスライド移動し、同時に、当該スライド移動に連動して前記デッドボルトが回転し、前記係合部材との係合が解かれることによって解錠され、前記スライド制御溝の位置が前記複数のスライド凸部に対向する位置以外の位置にあるとき、前記プッシュボタンと前記スライド凸部との干渉によって、前記回転ツマミの正方向の回転及び前記スライダの正方向のスライド移動が制限され、前記デッドボルトと前記係合部材とが係合する施錠状態が保持されるプッシュ錠である。
【０００７】
また、前記スライダの前記摺動板部に、前記複数のプッシュボタンの前記後頭部の先端角部に当接する傾斜面が形成された複数のボタン押戻部が設けられ、前記回転ツマミを負方向に回すことによって前記スライダが負方向にスライド移動し、前記複数のプッシュボタンを一律に突出状態にする構成を備えている。
【０００８】
また、前記スライダの前記摺動板部に、前記複数のプッシュボタンの前記後頭部の先端角部に当接する傾斜面が形成された複数のボタン押戻部が設けられ、前記デッドボルトが回転することによって前記スライダが負方向にスライド移動し、前記スライダ複数のプッシュボタンを一律に突出状態にする構成を備えている。
【０００９】
また、前記裏板のボタン支持部は、前記後面板部から内側に向けて立設された可撓性を有する係合板部と、前記係合板部の側面に形成された係合凸部とで構成され、前記プッシュボタンの側面には、前記係合凸部を係合可能な突没位置決め溝が形成され、前記プッシュボタンは、撓みの復帰力を有する前記係合板部と前記筺体の前記ボタン孔の内壁との間で挟持され、前記突没位置決め溝又は前記スライド制御溝に係合した前記係合凸部によって突出状態及び押込状態の位置決めがなされている。
【００１０】
また、前記前面板部は、その周縁部の背面側に立設された側壁部を有し前記ボタン孔が前記前面板部内に一方向に整列して配置された中空の筺体に設けられ、前記筺体は、前記前面板部と側壁部が連続する内側角部に、前記ボタン孔の周縁部から背面側に回転止ガイドが立設され、前記プッシュボタンは後頭部の側面に回転止突起が形成され、前記プッシュボタンが突出状態のとき、前記プッシュボタンは、前記回転止ガイドが前記回転止突起と係合することによって自身の回転が制限されて保持され、前記プッシュボタンが押込状態のとき、自身が回転自在に保持される構成を備えている。
【００１１】
さらに、前記複数のプッシュボタン及びボタン孔は、一方向の複数列に整列して配置されている。
【発明の効果】
【００１２】
この発明のプッシュ錠によれば、部品点数の少ないシンプルな構造で実現することができ、安価で組み立て易くメンテナンスも容易である。そして、この発明のプッシュ錠は、郵便受け箱等の管理者が特定のプッシュボタンを１８０度回すことによって、解除番号の設定と変更を容易に行うことができるものである。
【００１３】
また、回転式デッドボルトを用いることにより、使用者が操作する回転ツマミやデッドボルト自体の回転方向をあらかじめ自由に設定しておくことができる。また、扉を開閉する時の静音化も容易である。
【００１４】
また、プッシュボタンをバネ性を備えた係合板部と係合凸部で成るボタン支持部で支持することによって、プッシュボタンの突没動作が俊敏で歯切れよく行なわれ、また、そのプッシュボタンの動きが圧力として使用者の指先に伝わり、使用感が良好である。
【図面の簡単な説明】
【００１５】
【図１】この発明の一実施形態のプッシュ錠を示す正面図（ａ）、平面図（ｂ）及び左側面図（ｃ）である。
【図２】この実施形態のプッシュ錠が取り付けられた郵便受け箱を示す斜視図である。
【図３】図３の郵便受け箱の扉を開閉する様子を示す横断面図（ａ），（ｃ）、及びデッドボルトの動作を示す模式図（ｂ），（ｄ）である。
【図４】この実施形態のプッシュ錠の構成部品を示す分解斜視図である。
【図５】この実施形態の回転ツマミを示す斜視図（ａ），（ｂ）である。
【図６】この実施形態のデッドボルトを示す斜視図（ａ），（ｂ）である。
【図７】この実施形態のプッシュボタンを示す正面図（ａ）、下面図（ｂ）、斜視図（ｃ），（ｄ）である。
【図８】この実施形態の筺体を示す斜視図（ａ），（ｂ）である。
【図９】この実施形態の裏板を示す斜視図（ａ），（ｂ）である。
【図１０】この実施形態の筺体と裏板でプッシュボタンを支持する構造を示す部分断面図（ａ），（ｂ）である。
【図１１】この実施形態のスライダを示す斜視図（ａ），（ｂ）である。
【図１２】この実施形態のツマミジョイナを示す斜視図（ａ），（ｂ）である。
【図１３】この実施形態のデッドボルトジョイナを示す斜視図（ａ），（ｂ）である。
【図１４】この実施形態のツマミジョイナの回転動作とスライダのスライド動作の関係を示す模式図（ａ），（ｂ），（ｃ）である。
【図１５】この実施形態のスライダのスライド凸部とプッシュボタンのスライド制御溝の位置関係を示すＡ−Ａ断面図（ａ），（ｂ），（ｃ）である。
【図１６】この実施形態のスライダがプッシュボタンを突出状態にリセットする動作を示す模式図である。
【図１７】この実施形態のデッドボルトジョイナの回転動作とスライダのスライド動作の関係を示す模式図（ａ），（ｂ），（ｃ）である。
【発明を実施するための形態】
【００１６】
以下、この発明のプッシュ錠の一実施形態について、図面に基づいて説明する。この実施形態のプッシュ錠１０は、後述するように郵便受け箱３０の開口部を開閉する扉３２に取り付けられ、ボタン番号が付与された８個のボタン部材を用いて扉３２の施錠と解錠を可能にする。そして、プッシュ錠１０は、図２に示すように、ビルやマンション等に設けられる集合式の郵便受け箱３０等で使用され、各郵便受け箱３０の扉３２に１個ずつ取り付けられるものである。
【００１７】
プッシュ錠１０は、図１に示すように、略矩形の前面板部１２と、その裏面周縁部分に立設する側壁部１４とで成る筺体１６を備えている。前面板部１２の中央部には長手方向２列に整列してボタン孔１４ａが８箇所に形成され、筺体１６の内側に配置された８個のプッシュボタン１８の前頭部１８ａが各ボタン孔１２ａから突出している。各プッシュボタン１８にはボタン番号「１」〜「８」が付番され、ボタン孔１２ａの近傍に各々表示されている。また、側壁部１４の上端に裏板２０が取り付けられ、筺体１６の開口部分を塞ぐようにネジ２２で固定されている。
【００１８】
前面板部１２の表面の左端部分には回転ツマミ２４が取り付けられている。回転ツマミ２４は、使用者の操作によって時計回り（以下、正方向とする）と反時計回り（以下、逆方向とする。）に、初期位置から±６０度ほど回すことができる。  回転ツマミ２４は、一体成形された合成樹脂であり、図５に示すように、略円柱形状の本体２４ａと、本体２４ａの側面から側方に延設されたツマミ部２４ｂを備えている。本体２４ａは、中心が回転ツマミ２４の回転軸であり、一方の底面に後述するツマミジョイナ４２の嵌合凸部７４ａに嵌合する嵌合凹部２４ｃが形成されている。ツマミ部２４ｂは、使用者が回転ツマミ２４を回転させ易くする取っ手の働きをする。
【００１９】
回転ツマミ２４に対して筺体１６と裏板２０を挟んで反対側には、略長円形のデッドボルト２６が取り付けられている。デッドボルト２６は、回転ツマミ２４の回転軸と同心に回転軸を有し、正方向及び逆方向に回転する。なお、デッドボルト２６は、回転ツマミ２４と対向する側の面に、前面板部１２とほぼ平行な係合面２６ａが設けられ、反対側の面に、前面板部１２に対して所定の傾斜角を有する摺動面２６ｂが設けられている。
【００２０】
デッドボルト２６は、一体成形された合成樹脂であり、上述の通り略楕円形状を有し、郵便受け箱３０の係合部材３４の裏面３４ｂ側に係合するほぼ平坦な係合面２６ａと、係合面２６ａの端縁から連続して形成され、係合部材３４の表面３４ａ側に摺接する２つの連続平面で成る摺動面２６ｂを備えている。さらに、図６に示すように、デッドボルト２６の長手方向の一方の端部に、回転軸となるネジ３６ａを挿通するネジ穴２６ｃが開口されている。そして、デッドボルト２６は、図４に示すように、ネジ３６ａ及びナット３６ｂを介して後述するデッドボルトジョイナ４４に取り付けられ、デッドボルトジョイナ４４がプッシュ錠１０に組み付けられた状態で、係合面２６ａが筺体１６の前面板部１２とほぼ平行になる。なお、係合面２６ｂには、平坦な面の所定部分に筋状の凸凹溝が形成され、係合部材３４との係合動作がより円滑に行われるように調節されている。
【００２１】
プッシュボタン１８は、鋳造やプレス加工等によって形成された金属体であり、図７に示すように、断面円形の円柱部１８ａと、円柱部１８ａの一端を断面同一に延設された前頭部１８ｂと、円柱部１８ａの他端に延設された後頭部１８ｃとを有している。
【００２２】
円柱部１８ａは、筺体１６に円形に開口したボタン孔１２ａ内を突没自在に出入りする部分である。また、断面が円形であるため、当該摺動方向の軸を中心に回転することができる。
【００２３】
前頭部１８ｂは、ボタン孔１２ａから外側に突出し、使用者が操作するボタン部分として指で押圧等される部分である。ここでは、円柱部１８ａと断面形状が同じため、使用者がプッシュボタン１８を押し込んだとき、前頭部１８ｂが筺体１６のボタン孔１２ａの周縁部に干渉しない。
【００２４】
また、円柱部１８ａには、後頭部１８ｃとの境界付近部分の側面であって、上記中心軸を挟んで対向する位置に一対の回転止め突起４６が設けられている。回転止め突起４６は、後述する筺体１６の回転制御部４９と係合したとき、プッシュボタン１８の回転移動を妨げる働きをする。回転止め突起４６と回転制御部４９については、後で述べる。さらに、円柱部１８ａには、後頭部１８ｃとの境界付近の側面であって、一対の回転止め突起４６の位置に対して９０度ずれた位置に、断面が矩形に凹んだ第一及び第二のスライド制御溝４８ａ，４８ｂが一対に設けられている。スライド制御溝４８ａ，４８ｂの溝形状は互いに等しく、その溝幅及び深さは、後述するスライダ４０のスライド凸部５０が溝内を自在にスライドできる寸法に設定されている。また、第一のスライド制御溝４８ａは、後頭部１８ｃとの境界に配置され、第二のスライド制御溝４８ｂは、やや前頭部１８ｂ寄りに配置されている。２つのスライド制御溝４８ａ，４８ｂの位置ずれの寸法（上記中心軸の方向のピッチ）をｄと定義すると、ここでは、ピッチｄが各溝の幅寸法とほぼ等しくなっている。円柱部１８ａの側面であって、第一のスライド制御溝４８ａと上記中心軸を挟んで対向する位置に、断面が略半円状に凹んだ突没位置決め溝５２が設けられている。その溝幅及び深さは、後述する裏板２０の係合突起５４ａが係合可能で、且つ後述するスライダ４０のスライド凸部５０が溝内をスライド移動できない小さな寸法に設定されている。
【００２５】
後頭部１８ｃは、円柱部１８ａから連続した矩形状で角部が大きく面取りされた略正方形の断面形状を有している。そして、第一のスライド制御溝４８ａ及び突没位置決め溝５２からピッチｄだけ離れた位置に、突没位置決め溝５６ａ，５６ｂが設けられている。突没位置決め溝５６ａ，５６ｂの溝形状は、突没位置決め溝５２と同様である。さらに、後頭部１８ｃの先端面の中央に、プッシュボタン１８を回転させるためのマイナス形ドライバと係合するドライバ用溝５８が設けられている。ドライバ用溝５８は、第一のスライド制御溝４８ａ及び第二のスライド制御溝４８ｂと平行に設けられ、ドライバ用溝５８で区分けされた当該先端面の一方の部分に、プッシュボタン１８の回転位置の目印になるマーク６０が刻印表示されている。
【００２６】
筺体１６は、一体成形された合成樹脂であり、上述のように、略矩形の前面板部１２と、その裏側の面の周縁部分から立設した側壁部１４とを備えている。前面板部１２は、図８（ａ）に示すように、中央部に８個のボタン孔１２ａが設けられ、一方の端部に軸孔６２が設けられ、後述するツマミジョイナ４２の軸部７６と、回転ツマミ２４の本体２４ａに嵌合する嵌合凸部７４が通過することができる。
【００２７】
また、図８（ｂ）に示すように、前面板部１２の内側の面の中央部を長手方向に横切る位置に、断面が矩形に凹んだレール状のガイド溝６３が設けられている。ガイド溝６３は、後述するスライダ４０の筋状突起８４と係合し、スライダ４０のスライド移動を補助する働きをする。
【００２８】
さらに、図８（ｂ）に示すように、前面板部１２と側壁部１４とが連続する筺体１６の内側角部に、プッシュボタン１８の回転動作を制御する回転制御部４９が設けられている。回転制御部４８は、各ボタン孔１２ａの内壁の約３分の１の部分を延長する円弧面を形成する小径段部４９ａと、小径段部４９ａの円弧面と同心で僅かに大きな直径の円弧面を延長する大径段部４９ｂで構成されている。小径段部４９ａの長さ（ボタン孔１２ａとの境界から大径端部４９ｂとの境界までの長さ）は、プッシュボタン１８のピッチｄとほぼ等しい。小径段部４９ａと大径段部４９ｂの半径の差である段差は、プッシュボタン１８の回転止め突起４６の突出高さ寸法よりも僅かに大きい寸法である。従って、プッシュ錠１０が組み立てられた状態でプッシュボタン１８が突没方向に移動したとき、一対の回転止め突起４６が大径段部４９ｂの位置にあるときは、プッシュボタン１２を回すことができる。一方、回転止め突起４６がピッチｄだけ突出方向に移動して小径段部４９ａの位置にあるときは、一対の回転止め突起４６が小径段部４９ａの上端面４９ｃに係止され、プッシュボタン１２を回すことができない。
【００２９】
また、筺体１６の側壁部１４の根元部分であって、隣り合う回転制御部４９の間に、矩形の裏板固定孔６４が複数設けられている。裏板固定孔６４は、筺体１６に裏板２０を組み付けるとき、後述する裏板２０の固定片６６の先端部と嵌合して裏板２０を一時的に保持し、ネジ２２で固定するまでの間、仮固定する働きをする。裏板２０は、一体成形された合成樹脂であり、筺体１６の開口部である側壁部１４上端を塞ぐ後面板部６８を備えている。図９に示すように、後面板部６８には、筺体１６に取り付けられた状態でプッシュボタン１８のドライバ用溝５８を外部に露出させ、外部からを操作することを可能にするドライバ用孔７０が設けられている。
【００３０】
また、後面板部６８の長手方向の一方の端部には、後述するデッドボルトジョイナ４４を収容するために外向きに膨らんだジョイナ収容部７２が設けられ、さらに、ジョイナ収容部７２の中央部に、デッドボルト２６とネジ固定されるデッドボルトジョイナ４４の軸部７８が通過可能な軸孔８０が設けられている。後面板部６８の周縁部の所定位置に、裏板２０を筺体１６に仮固定するための固定片６６が複数設けられている。固定片６６は、先端部に突起が設けられ、筺体１６の裏板固定孔６４に嵌合可能に形成された板状部分である。さらに、後面板部６８の中央部には、プッシュボタン１８を支持するボタン支持部である複数の係合板部５４が設けられ、その先端部に係合突起５４ａが形成されている。係合板部５４は、後面板部６８から内側に向けて立設され、板厚方向に可撓性を有している。また、係合凸部５４ａは、プッシュボタン１８の突没位置決め溝５２，５６ａ，５６ｂ、及びスライド制御溝４８ａ，４８ｂに対して、係合板部５４の可撓方向に係合可能に設けられている。
【００３１】
次に、組み上げられたプッシュ錠１０において、後面板部６８の係合板部５４がプッシュボタン１８を支持する動作を、図１０に基づいて説明する。まず、図１０（ａ）は、図１に示す８個のプッシュボタン１８のうち、番号「１」と「５」が付されたプッシュボタン１８（１）及び１８（５）が、突出した状態で支持されている様子を示している。プッシュボタン１８（１）は、撓みの復帰力を有する係合板部５４と筺体１６のボタン孔１２ａの内壁に挟持され、突没位置決め溝５６ｂに係合した係合凸部５４ａによって突出状態の位置決めがされている。また、プッシュボタン１８（５）は、同じく係合板部５４と筺体１６のボタン孔１２ａ内壁に挟持され、突没位置決め溝５６ａに係合した係合凸部５４ａによって突出状態の位置決めがされている。
【００３２】
プッシュボタン１８（１），１８（５）は、前頭部１８ａを所定の圧力で押すことによって、後面板部６８の係合板部５４が撓み、係合凸部５４ａの係合が解除され、押し込むことができる。そして、ピッチｄだけ押し込まれると、図１０（ｂ）の状態に支持される。すなわち、プッシュボタン１８（１）は、撓みの復帰力を有した係合板部５４と筺体１６のボタン孔１２ａ内壁に挟持され、係合凸部５４ａが突没位置決め溝５２に係合して押込状態の位置決めがされる。また、プッシュボタン１８（５）は、同じく係合板部５４と筺体１６のボタン孔１２ａ内壁に挟持され、係合凸部５４ａが第一のスライド制御溝４８ａに係合して押込状態の位置決めがされる。
【００３３】
プッシュボタン１８は、図１０（ａ），（ｂ）で例示した状態と、円柱部１８ａの中心軸を中心に１８０度回転した向きに設定される場合もあるが、同様の機構で支持される。
【００３４】
なお、プッシュボタン１８の突没の位置決めは、図１０（ａ）と（ｂ）に示す２段階で行われる。例えば、プッシュボタン１８が図１０（ａ）の突出状態よりもさらに突出しようとしても、プッシュボタン１８の回転止め突起４６が筺体１６のボタン孔１２ａ周縁部に係止されることによって防止され、反対に図１１（ｂ）の押込状態よりもさらに押し込もうとしても、プッシュボタン１８の後頭部１８ｃの角部が裏板２０のドライバ用孔７０周縁部に係止されることによって防止される。また、係合板部５４の撓みの復帰力が作用することによって、プッシュボタン１８が突出状態と押込状態の中間的な位置に停留することはない。
【００３５】
また、プッシュボタン１８の回転止め突起４６と筺体１６の回転制御部４９との関係について述べると、図１０（ａ）の突出状態では、回転止め突起４６が小径段部４９ａの位置にあり、図１０（ｂ）の押込状態では、回転止め突起４６が大径段部４９ｂの位置にある。従って、プッシュボタン１８は、押込状態においてのみ回転させることができる。
【００３６】
スライダ４０は、合成樹脂により一体成形され、筺体１６と裏板２０の内側の空間に配置されて、回転ツマミ２４やデッドボルト２６が回転することによって、長手方向にスライド可能に設けられた部材である。スライダ４０は、図１１に示すように、細長の摺動板部８２を備え、さらに、摺動板部８２の一方の面には、中央部を長手方向に横切る筋状突起８４が設けられている。この摺動板部８２は、筺体１６の前面板部１２の内側の面に当接配置され、筋状突起８４がレール状のガイド溝６３内に係合した状態で直線的にスライド移動することができる。
【００３７】
摺動板部８２の左右の端面には、上述したプッシュボタン１８のスライド制御溝４８ａ，４８ｂ内を通過可能なスライド凸部５０が延設されている。スライド凸部５０の長さは、プッシュボタン１８の直径とほぼ等しい。
【００３８】
摺動板部８２の各スライド凸部５０近傍部分には、筋状突起８４の突出方向と反対向きにボタン押戻部８６が立設されている。ボタン押戻部８６は、先端部分にプッシュボタン１８の後頭部１８ｃの先端角部に当接可能な傾斜面８６ａが形成されており、摺動板部８２が所定の方向にスライド移動すると、傾斜面８６ｃによって後頭部１８ｃが押圧され、押込状態のプッシュボタン１８を突出状態に押し戻す働きをする。
【００３９】
摺動板部８２の長手方向の一端には、カム板部８８が延設されている。カム板部８８は、筺体１６の前面板部１２と対向する面に前カム溝８８ａが、裏板２０の後面板部６８と対向する面に後カム溝８８ｂが各々形成されている。前カム溝８８ａは、後述するツマミジョイナ４２のカム突起９０と係合する。一方、後カム溝８８ｂは、後述するデッドボルトジョイナ４４のカム突起９２と係合する。そして、スライダ４０は、当該カム機構によって駆動され、プッシュボタン１８が整列する方向にスライド移動することができる。
【００４０】
ツマミジョイナ１２は、合成樹脂により一体成形され、図１２に示すように、円筒状の軸部７６と、軸部７６の側面から延設されたアーム９４を備えている。アーム９４は、軸部７６のスライダ４０に近接する側の端部に設けられ、スライダ４０のカム板部８８と対向するアーム先端部分に、前カム溝８８ａ内に係合可能なカム突起９０が形成されている。軸部７６の反対側の端面には、十字形に配置された嵌合凸部７４が設けられている。軸部７６の中空部分は、嵌合凸部７４に嵌合させて取り付けられた回転ツマミ２４を固定するためのネジ３８を通す孔である。
【００４１】
また、アーム９４のカム突起９０が設けられたのと反対側の面には、バネ取り付け用突起９６が設けられている。バネ取り付け用突起９６は、プッシュ錠１０に組み立てられた状態で、筺体１６の所定部分に一端が接続された図示しないコイルバネが取り付けられる。このコイルバネは、所定の外力によってツマミジョイナ４２が回転し、その外力が取り除かれるとツマミジョイナ４２を回転の初期位置（回転の中心位置）に復帰させる働きをする。
【００４２】
デッドボルトジョイナ４４も合成樹脂により一体成形されたものであり、図１３に示すように、円筒状の軸部７８と、軸部７８の側面から延設されたアーム９８を備えている。アーム９８は、軸部７８のスライダ４０に近接する側に寄せて設けられ、スライダ４０のカム板部８８と対向するアーム先端部分に、後カム溝８８ｂ内に係合可能なカム突起９２が形成されている。軸部７８の反対側の端面には。矩形の嵌合凸部１００が設けられている。軸部７８の中空部分は、嵌合凸部１００に嵌合させて取り付けられたデッドボルト２６を固定するためのネジ３６ａを通す孔である。
【００４３】
また、アーム９８のカム突起９２が設けられたのと反対側の面には、バネ取り付け用突起１０２が設けられている。バネ取り付け用突起１０２は、プッシュ錠１０に組み立てられた状態で、裏板２０の所定部分に一端が接続された図示しないコイルバネが取り付けられる。このコイルバネは、所定の外力によってデッドボルトジョイナ４４が回転し、その外力が取り除かれるとデッドボルトジョイナ４４を回転の初期位置（回転の中心位置）に復帰させる働きをする。
【００４４】
次に、上記の部材がプッシュ錠１０に組み立てられたときの、ツマミジョイナ４２とスライダ４０で構成されるカム機構の動作と、スライダ４０がスライド移動したときのプッシュボタン１８の動作について、図１４〜図１６に基づいて説明する。図１４は、プッシュ錠１０を前面板部１２の側から筺体１６内を透視し、ツマミジョイナ４２、スライダ４０、プッシュボタン１８を現わした模式図である。
【００４５】
図１４（ａ）は、ツマミジョイナ４２の回転の初期位置であり、ツマミジョイナ４２は、アーム９４が図１４の左側に向いている。このとき、スライダ４０は、筋状突起８８が図示しない筺体１８のガイド溝６３内に係合し、アーム９４と同様に図１４の左右方向に配置される。また、ボタンスイッチ１８（１）〜１８（８）は、スライダ４０の摺動板部８２の上下両側に配置されている。また、スライダ４０のボタン押戻部８６の傾斜面８６ａは、プッシュボタン１８（１）〜１８（８）の位置に対して左側にずれた位置に配置されている。
【００４６】
図示しない回転ツマミ２４を正方向に回すと、図１４（ｂ）に示すように、ツマミジョイナ４２も軸部７６を軸に正方向に回転する。すると、プッシュボタン１８による制限を受けない場合は、ツマミジョイナ４２のアーム９０が左斜め上方に傾き、カム突起９０がスライダ４０の前カム溝８８ａ内を移動し、スライダ４０が左方向にスライド移動する。
【００４７】
スライダ４０が左方向に移動しようとするとき、スライダ４０のスライド凸部５０と近接するプッシュボタン１８との干渉が問題になる。すなわち、プッシュボタン１８の第一又は第二のスライド制御溝４８ａ，４８ｂが、スライド凸部５０がスライドする位置にあれば干渉が生じない。例えば、図１５（ａ）の場合、プッシュボタン１８（１），（５）はいずれも突出状態であり、各々の第一のスライド制御溝４８ａがスライド凸部５０の位置にある。従って、スライド凸部５０とプッシュボタン１８は干渉せず、図１４（ｂ）のスライド移動が円滑に行われる。しかし、図１５（ｂ）の場合、プッシュボタン１８（１）が１８０度回転した状態で取り付けられ、突没位置決め溝５２がスライド凸部５０の位置にある。突没位置決め溝５２は、スライド凸部５０が内側を通過できない溝幅と深さに形成されているので、スライド凸部５０と干渉が生じ、図１４（ｂ）のスライド移動が妨げられる。しかし、図１５（ｂ）のプッシュボタン１８（１）を押し込んで図１５（ｃ）の状態にすれば、図１５（ａ）と同様に、図１４（ｂ）のスライド移動が可能になる。
【００４８】
一方、図１４（ａ）の初期位置から回転ツマミ２４を負方向に回すと、図１４（ｃ）に示すように、ツマミジョイナ４２が軸部７６を軸に負方向に回転する。すると、ツマミジョイナ４２のアーム９０が左斜め下方に傾き、カム突起９０がスライダ４０の前カム溝８８ａ内を移動し、スライダ４０が右方向にスライド移動する。このとき、スライド凸部５０は、近接するプッシュボタン１８から離れる方向に移動するためプッシュボタン１８との干渉は生じず、スライダ４０は円滑にスライド移動することができる。
【００４９】
スライダ４０が右方向にスライド移動するとき、スライダ４０のボタン押戻部８６は、全てのプッシュボタン１８（１）〜１８（８）を突出した状態にする動作を行う。例えば、図１４（ａ）のように、スライダ４０が初期位置にあるとき、図１６（ａ）に示すように、プッシュボタン１８（８）が押込状態、プッシュボタン１８（７）が突出状態になっている場合を考える。その状態から、スライダ４０が右方向に移動すると、プッシュボタン１８（８）の後頭部１８ｃの先端角部にボタン押戻部８６の傾斜面８６ａが当接し、プッシュボタン１８（８）が突出方向に押し戻されるように移動する。一方、プッシュボタン１８（７）は当初から突出しているので、スライダ４０が移動してもボタン押戻部８６の傾斜面８６ａと接触することなく、そのまま突出状態が維持される。このようにして、全てのプッシュボタン１８を突出状態にするいわゆるリセット動作が円滑に行われる。
【００５０】
次に、プッシュ錠１０に組み立てられたときの、デッドボルトジョイナ４４とスライダ４０で構成されるカム機構の動作について、図１７に基づいて説明する。図１７は、プッシュ錠１０を後面板部６８の側から内部を透視し、デッドボルトジョイナ４４、スライダ４０、プッシュボタン１８を現わした模式図である。
【００５１】
図１７（ａ）は、デッドボルトジョイナ４４が回転していない初期位置であり、デッドボルトジョイナ４４は、アーム９８が図１７の左側に向いている。このとき、スライダ４０は、図示しない筋状突起８８が筺体１８のガイド溝６０内に係合し、アーム９８と同様に図１７の左右方向に配置されている。また、ボタンスイッチ１８（１）〜１８（８）は、スライダ４０の摺動板部８２の上下両側に配置される。また、スライダ４０のボタン押戻部８６の傾斜面８６ａは、プッシュボタン１８（１）〜１８（８）の位置に対して左側にずれた位置に配置されている。
【００５２】
図示しないデッドボルト２４を正方向に回すと、図１７（ｂ）に示すように、デッドゾルトジョイナ４４も軸部７８を軸に正方向（回転ツマミ２４の側から見て正方向）に回転する。すると、デッドボルトジョイナ４４のアーム９８が左斜め下方に傾き、カム突起９９２がスライダ４０の後カム溝８８ｂ内を移動し、スライダ４０が右方向にスライド移動する。
【００５３】
一方、図１７（ａ）の初期位置から回転ツマミ２４を負方向（回転ツマミ２４の側から見て負方向）に回すと、図１７（ｃ）に示すように、デッドボルトジョイナ４４が軸部７８を軸に負方向に回転する。すると、デッドボルトジョイナ４４のアーム９８が左斜め下方に傾き、カム突起９２がスライダ４０の後カム溝８８ｂ内を移動し、正方向に回したときと同様に、スライダ４０が右方向にスライド移動する。
【００５４】
スライダ４０が右方向に移動するとき、スライド凸部５０は、近接するプッシュボタン１８から離れる方向に移動するためプッシュボタン１８との干渉は生じず、スライダ４０は円滑にスライド移動することができる。そして、スライダ４０が右方向にスライド移動することによって、図１６と同様に、スライダ４０のボタン押戻部８６が、全てのプッシュボタン１８（１）〜１８（８）を突出した状態にするリセット動作を行う。
【００５５】
なお、プッシュ錠１０では、ツマミジョイナ４２の軸部７８とデッドボルトジョイナ４４の軸部７８の互いの一端同士が係合している。そして、その係合構造は、ツマミジョイナ４２を回転させると、ツマミジョイナ４２と一体にデッドボルトジョイナ４４も回転するが、デッドボルトジョイナ４４を回転させても、ツマミジョイナ４２は回転しない構造になっている。
【００５６】
この実施形態のプッシュ錠１０を設けた郵便受け箱３０の扉３２の開閉は、従来の一般的なプッシュ錠と同様である。まず、扉３２が開いた状態から閉じていくと、図３（ａ）に示すように、郵便受け箱３０の開口部の縁部に固定された係合部材３４の表面３４ａがデッドボルト２６の摺動面２６ｂに当接する。さらに扉３２を閉じていくと、デッドボルト２６は、図３（ｂ）に示すように係合部材３４により摺動面２６ｂが押されて初期位置から正方向（回転ツマミ２４の側から見て正方向）に回転し、係合部材３４が摺動面２６ｂ上を横切ったところで当接状態が解除される。そして、図３（ｃ）に示すように扉３２をほぼ閉じ切ると、デッドボルト２６は係合部材３４の裏面３４ｂ側に達し、図示しないスプリングの回復力によって回転の初期位置に復帰し、図３（ｄ）に示すように、係合部材３４の裏面３４ｂとデッドボルト２６の係合面２６ａとが互いに当接または近接して係合し、扉３２が閉じた状態を保持する。
【００５７】
一方、扉３２を開くときは、まず施錠状態を解錠状態にするため、解錠番号に該当するプッシュボタン１８を順番に押し込むみ、回転ツマミ２４を手で正方向に回す。正しい解錠番号であれば、回転ツマミ２４が回転しその回転に連動してデッドボルト２６も正方向に回転し、デッドボルト２６の係合面２６ａと係合部材３４の係合が解除される。そして、回転ツマミ２４を回した状態のまま手前に引くことによって扉３２を開けることができる。
【００５８】
ここで、扉３２を閉じるとき、デッドボルト４４は係合部材３４に押されて回転するが、使用者が手で握っている回転ツマミ２４は回転しないので、使用者は回転ツマミ２４を持った手を捻ることなく自然な動作で扉３２を閉じることができる。また、デッドボルト２６が回転するとき、全てのプッシュボタン１８を突出状態にするリセット動作が同時に行われるので、リセットのための特別な操作を行う必要がない。
【００５９】
一方、扉３２を開くとき、まず施錠状態を解錠状態にするため解錠番号に該当するプッシュボタン１８を押し込む。プッシュボタン１８は、図１５（ｂ）及び図１５（ｃ）のプッシュボタン１８（１）のように、突出状態のときにスライダ４０のスライド凸部と干渉し、押込状態では干渉しないように取り付けられると、解錠番号に該当するプッシュボタン１８になる。なお、解錠番号の設定は、プッシュボタン１８を押し込んだ状態で１８０度回すことによって変更することができる。例えば、図１５（ｂ），（ｃ）のプッシュボタン１８（１）を、図１５（ａ）のプッシュボタン１８（１）のように回せば、容易に設定の変更をすることができる。
【００６０】
解除番号に該当するプッシュボタン１８を押し込んで、回転ツマミ２４を正方向に回すと、回転ツマミ２４の回転に連動してデッドボルト２６も正方向に回転する。すると、デッドボルト２６と係合部材３４の係合が解除されるので、回転ツマミ２４を回した状態のまま手前に引くことによって扉３２を開けることができる。
【００６１】
なお、解錠番号に該当しないプッシュボタン１８を誤って押し込んだときは、回転ツマミ２４は回転できず、回転ツマミ２４を負方向に回してリセット動作を行い、全てのプッシュボタン１８を突出状態に戻した後で改めて押し直せばよい。
【００６２】
また、解錠番号を変更するときは、扉３２を開けた状態で、変更するプッシュボタン１８を押込状態にした後、後頭部１８ｃのドライバ用溝５８にドライバを差し込み、マーク６０を目印にして回せばよい。なお、プッシュボタン１８は、プッシュボタン１８の回転止め突起４６と筺体１６の回転制御部４９の作用により、押込状態でしか回すことができない。従って、押込状態で前頭部１８ｂ側から回そうとしても、前頭部１８ｂの突出量が小さいため、前頭部１８ｂを持って回すことはできない。すなわち、第三者が解錠番号の設定を外部から勝手に変更することはできず、安全である。
【００６３】
なお、この発明のプッシュ錠は上記実施形態に限定されるものではなく、筺体に設けられた複数のボタン孔を、前面板部内の所定の円周に沿った一方向に整列配置し、さらに、スライダが当該円周の方向に回転してスライドするよう保持される構成にしてもよい。また、回転ツマミとツマミジョイナは、筺体との組み付けが可能であれば、一体に形成してもよい。デッドボルトとデッドボルトジョイナも同様に、裏板との組み付けが可能であれば、各々一体に形成してもよい。さらに、プッシュボタンの数は特に制限されず、プッシュボタンの数を増減することによって解錠番号の桁数を自在に変更することができる。
【符号の説明】
【００６４】
１０  プッシュ錠
１２  全面板部
１２ａ  ボタン孔
１４  側壁部
１６  筺体
１８  プッシュボタン
１８ａ  円柱部
１８ｂ  前頭部
１８ｃ  後頭部
２０  裏板
２４  回転ツマミ
２６  デッドボルト
３０  郵便受け箱
３２  扉
３４  係合部材
４０  スライダ
４２  ツマミジョイナ
４４  デッドボルトジョイナ
４６  回転止め突起
４８ａ  第一のスライド制御溝
４８ｂ  第二のスライド制御溝
４９  回転制御部
４９ａ  小径段部
４９ｂ  大径段部
４９ｃ  上端面
５０  スライド凸部
５２，５６ａ，５６ｂ  突没位置決め溝
５４  係合板部
５４ａ  係合突起
６８  後面板部
８２  摺動板部
８６  ボタン押戻部
８６ａ  傾斜面
８８  カム板部
８８ａ  前カム溝
８８ｂ  後カム溝
９０，９２  カム突起
９４，９８  アーム
【図１】
2011047212.tif 000003
【図２】
2011047212.tif 000004
【図３】
2011047212.tif 000005
【図４】
2011047212.tif 000006
【図５】
2011047212.tif 000007
【図６】
2011047212.tif 000008
【図７】
2011047212.tif 000009
【図８】
2011047212.tif 000010
【図９】
2011047212.tif 000011
【図１０】
2011047212.tif 000012
【図１１】
2011047212.tif 000013
【図１２】
2011047212.tif 000014
【図１３】
2011047212.tif 000015
【図１４】
2011047212.tif 000016
【図１５】
2011047212.tif 000017
【図１６】
2011047212.tif 000018
【図１７】
2011047212.tif 000019